(57)【要約】  筋の形状、筋の起始・停止の位置や範囲を立体的に理解しやすい筋の学習教材およびそれを用いた教育方法を提供する。筋の学習教材は、少なくとも１つの骨状部材と、該骨状部材に、起始部および停止部において磁石の吸着力によって着脱自在に固定される少なくとも１つの筋状部材とを備えてなる。
2012056925.tif 000002
【特許請求の範囲】
【請求項１】
少なくとも１つの骨状部材と、該骨状部材に、起始部および停止部において磁石の吸着力によって着脱自在に固定される少なくとも１つの筋状部材とを備えてなる筋の学習教材。
【請求項２】
前記筋状部材がヒトの筋に近似した形状を有し、前記骨状部材が人骨に近似した形状を有する請求項１記載の学習教材。
【請求項３】
前記筋状部材の起始部および該起始部に接続する骨状部材のいずれか一方に磁石が設けられ、他方に該磁石に吸着される強磁性体または該磁石と吸着しあう磁石が設けられ、
前記筋状部材の停止部および該停止部に接続する骨状部材のいずれか一方に磁石が設けられ、他方に該磁石に吸着される強磁性体または該磁石と吸着しあう磁石が設けられてなる請求項１または２記載の学習教材。
【請求項４】
前記学習教材が、さらに固定パネルを備え、
該固定パネルには、前記筋状部材の起始部および停止部の磁石に吸着される強磁性体または該磁石と吸着しあう磁石、あるいは前記起始部および停止部の強磁性体を吸着する磁石が設けられてなる請求項１〜３のいずれかに記載の学習教材。
【請求項５】
前記固定パネルには、前記筋状部材と対応する筋が図示されており、
前記筋状部材が、前記固定パネルに図示された筋に合うように起始部および停止部において前記固定パネルに固定されるものである請求項４記載の学習教材。
【請求項６】
請求項１〜５のいずれかに記載の学習教材を用いた筋の教育方法。
【発明の詳細な説明】
【技術分野】
【０００１】
本発明は、筋の学習教材およびそれを用いた教育方法に関する。より詳しくは、大学医学部、看護学校、柔道整復師養成施設などの医療保健福祉系教育機関や、病院、接骨院などの医療保健福祉機関で用いる筋の形状や起始・停止の学習教材、およびそれを用いた教育方法に関する。
【背景技術】
【０００２】
骨格筋を理解するには、筋名、筋の形状、起始・停止の位置や範囲、神経支配、筋の作用を覚える必要があり、特に筋の形状および起始・停止を正確に理解することが臨床において損傷した筋を把握するのに大変重要である。【０００３】
これらをいかに効率的に理解するかについては、書籍等において種々の工夫がなされている。たとえば、解剖学書において一図にすべての筋を表示した場合、個々の筋がどこから起こり（起始）どこで終わっているか（停止）が理解しづらいため、個々の筋の起始・停止が見通せるように筋がなるべく重複しないように描画されている。しかし、書籍では立体的な把握ができず、実際に解剖を行う専門医師や学者以外が個々の筋の存在様式を起始・停止部位の情報を含めトータルに理解するには適していない。【０００４】
近年のコンピューターグラフィック技術により、立体的に把握することもできるようになったが、それは視覚のみによるものであり、触覚によって把握することはできない。しかし、臨床上では視診および触診が重要であることは言うまでもない。【０００５】
実際に視て触ることができるものとして、骨格筋の人体解剖模型があげられるが、筋の重複した箇所では個々の筋が見通せない、筋が着脱不能に固定されているため筋の起始・停止部位や範囲が見通せない、筋状部材を骨状部材上の起始・停止以外の部位で固定具によって固定しているなど、個々の筋の形状を正確に理解することができず、筋の起始・停止を正確に理解することができないという問題があった（特許文献１）。
【先行技術文献】
【特許文献】
【０００６】
【特許文献１】特開２００６−３２３１０３号公報
【発明の概要】
【発明が解決しようとする課題】
【０００７】
本発明は、上記従来の問題に鑑みてなされたものであり、個々の筋の形状、および起始・停止を理解しやすい筋の学習教材、ならびにそれを用いた教育方法を提供することを目的とする。
【課題を解決するための手段】
【０００８】
本発明の筋の学習教材は、少なくとも１つの骨状部材と、該骨状部材に、起始部および停止部において磁石の吸着力によって着脱自在に固定される少なくとも１つの筋状部材とを備えてなることを特徴としている。【０００９】
また、前記筋状部材がヒトの筋に近似した形状を有し、前記骨状部材が人骨に近似した形状を有することが好ましい。【００１０】
また、前記筋状部材の起始部および該起始部に接続する骨状部材のいずれか一方に磁石が設けられ、他方に該磁石に吸着される強磁性体または該磁石と吸着しあう磁石が設けられ、前記筋状部材の停止部および該停止部に接続する骨状部材のいずれか一方に磁石が設けられ、他方に該磁石に吸着される強磁性体または該磁石と吸着しあう磁石が設けられてなることが好ましい。【００１１】
また、前記学習教材が、さらに固定パネルを備え、該固定パネルには、前記筋状部材の起始部および停止部の磁石に吸着される強磁性体または該磁石と吸着しあう磁石、あるいは前記起始部および停止部の強磁性体を吸着する磁石が設けられてなることが好ましい。【００１２】
また、前記固定パネルには、前記筋状部材と対応する筋が図示されており、前記筋状部材が、前記固定パネルに図示された筋に合うように起始部および停止部において前記固定パネルに固定されるものであることが好ましい。【００１３】
本発明は、上記学習教材を用いた筋の教育方法に関する。
【発明の効果】
【００１４】
本発明によれば、骨状部材と筋状部材とを起始部および停止部において着脱自在となるよう構成することにより、実際のヒトの筋の形状に近い状態が再現され、ヒトの筋の形状、筋の起始・停止の位置や範囲を立体的に視覚によって理解し、かつ触覚によって理解することができる。また、筋状部材と骨状部材とを磁石の吸着力によって着脱自在に構成することにより、複雑な機構を用いることなくシンプルな構成となり、扱いやすく、壊れにくい。また、筋状部材と骨状部材とを磁石の吸着力によって着脱自在に構成することにより、従来のような突起状の固定具を凹部に挿入して筋状部材を取り付けることができなかった部位にも取り付けることができる。したがって、たとえば上腕二頭筋の短頭の起始部のように人体の下方向を向いた起始部であっても、磁石の吸着力によって筋状部材と骨状部材とを取り付けることができる。また、たとえば骨と骨との間にある上腕二頭筋の長頭の起始部のような場合は、従来の突起状の固定具を凹部に挿入するにあたって指が入らないため固定ができず、本来の起始部以外の部位に固定するしかないが、本発明では、磁石の吸着力によって筋状部材の端部を骨と骨との間をスライドさせて筋状部材を正しい起始部において骨状部材に取り付けることができる。このように、本発明によれば、実際の人体の筋における起始・停止の位置で筋状部材を固定することが難しい場合であっても、筋状部材と骨状部材とを磁石の吸着力により着脱自在にすることにより、正確な起始・停止の位置で筋状部材を固定することができる。【００１５】
また、筋状部材を固定パネルに着脱自在となるよう構成したものは、たとえば固定パネルに筋名や神経支配、筋の作用などを記載することにより、多種多様な筋のそれぞれについて、筋名、神経支配、筋の作用などと、筋の形状、起始・停止の位置や範囲とを関連付けて理解することができる。【００１６】
さらに、本発明の筋の形状の教育方法は、実際に解剖を行う専門医師や学者以外にも、筋の形状、起始・停止を立体的に視覚によって理解し、かつ触覚によって理解させる機会を提供し、医療保健福祉従事者全体の理解レベルを引き上げ、医療保健福祉技術の向上に寄与することができる。
【図面の簡単な説明】
【００１７】
【図１】本発明の第１の実施の形態による筋の学習教材の概略背面図であって、棘上筋部材を固定した図である。
【図２】図１の学習教材から棘上筋部材を取り外した図である。
【図３】図１の棘上筋部材の概略図である。
【図４】図１の肩甲骨部材と棘上筋部材との起始部における固定状態を示した模式断面図である。
【図５】図１の上腕骨部材と棘上筋部材との停止部における固定状態を示した模式断面図である。
【図６】本発明の第１の実施の形態による筋の学習教材の概略背面図であって、棘下筋部材を固定した図である。
【図７】図６の学習教材から棘下筋部材を取り外した図である。
【図８】図６の棘下筋部材の概略図である。
【図９】本発明の第１の実施の形態による筋の学習教材の概略背面図であって、小円筋部材を固定した図である。
【図１０】図９の学習教材から小円筋部材を取り外した図である。
【図１１】図９の小円筋部材の概略図である。
【図１２】本発明の第１の実施の形態による筋の学習教材に用いる固定パネルの模式説明図である。
【図１３】図１２の固定パネルに筋状部材を固定した状態を示した図である。
【図１４】本発明の第２の実施の形態による筋の学習教材の概略説明図であって、右手第３指の骨状部材の背側面図である。
【図１５】図１４に対応する図であって、右手第３指の骨状部材の掌側面図である。
【図１６】図１４に対応する図であって、右手第３指の骨状部材の側面図である。
【図１７】図１４に対応する図であって、右手第３指の総指伸筋腱部材を固定した状態を示した背側面図である。
【図１８】図１５に対応する図であって、右手第３指の浅指屈筋腱部材および深指屈筋腱部材を固定した状態を示した掌側面図である。
【図１９】図１６に対応する図であって、右手第３指の総指伸筋腱部材、浅指屈筋腱部材および深指屈筋腱部材を固定した状態を示した側面図である。
【図２０】図１４の起始磁石部材の模式断面図である。
【図２１】本発明の第３の実施の形態による筋の学習教材が用いられる部位を説明するための図である。
【図２２】本発明の第３の実施の形態による筋の学習教材の概略図である。
【発明を実施するための形態】
【００１８】
本発明の実施の形態による筋の学習教材について、添付図面に沿って以下詳細に説明する。
【００１９】
図１は、本発明の第１の実施の形態による筋の学習教材の概略背面図であって、棘上筋部材を固定した図であり、図２は、図１の学習教材から棘上筋部材を取り外した図であり、図３は、図１の棘上筋部材の概略図である。
【００２０】
図１〜３に示されるように、本発明の第１の実施の形態による筋の学習教材（以下、教材１という）は、ヒトの上半身模型であり、少なくとも上腕骨部材１１と肩甲骨部材１０とからなる骨状部材２から構成されている。これら骨状部材２の各々は、実際の筋の形状を理解する観点から人骨に近似した形状および配置関係を有することが好ましい。すなわち、肩甲骨部材１０と上腕骨部材１１とは、それぞれヒトの肩甲骨と上腕骨に近似した形状を有し、ヒトの肩関節（肩甲上腕関節）に相当する箇所において上腕骨部材１１の骨頭部と肩甲骨部材１０の関節窩とが可動自在に接続されていることが好ましい。なお、教材１は人体全身模型であっても良く、部分模型であっても良く、人体模型を簡略化したものであっても良い。
【００２１】
また、このように構成された骨状部材２は、ヒトの動作範囲と同じ可動範囲を有することが好ましい。これにより、教材１はヒトと同じ動きを再現することができる。骨状部材２の各々は、ヒトの関節に相当する箇所において針金、可動式固定具、磁石および磁性体、バネまたはゴムなどで互いに可動自在に連結されることが好ましい。
【００２２】
骨状部材２の材質は、人骨の質感を再現できるものであれば特に限定されず、人骨の形状に加工することが容易であるという理由からステンレス、鉄、銅、アルミニウムなどの金属製であることが好ましく、また、軽量であるという理由からポリ塩化ビニル（ＰＶＣ)などの合成樹脂、ＦＲＰ、木製であることが好ましい。
【００２３】
図１および２に示されるように、肩甲骨部材１０と上腕骨部材１１には、筋状部材３である棘上筋部材１５が固定されている。棘上筋部材１５は、ヒトの棘上筋に近似する形状を有するものである。また、筋状部材３の材質は、ヒトの筋を再現するものであり、ヒトの筋の質感に近いものであれば特に限定されないが、感触が柔らかく、ヒトの筋に近い触感のゴム素材でできていることが好ましい。
【００２４】
棘上筋部材１５の肩甲骨部材１０と接する側の起始部には、複数の起始磁石部材２０が固定されている。一方、肩甲骨部材１０には、起始磁石部材２０と対応する位置に複数の強磁性体製の起始部材２１が固定されている。この棘上筋部材１５の起始磁石部材２０が、肩甲骨部材１０の起始部材２１を吸着することにより両者は着脱自在に固定される。
【００２５】
また、棘上筋部材１５の上腕骨部材１１と接する側の停止部には、停止磁石部材２２が固定されている。一方、上腕骨部材１１には、停止磁石部材２２と対応する位置に強磁性体製の停止部材２３が固定されている。この棘上筋部材１５の停止磁石部材２２が、上腕骨部材１１の停止部材２３を吸着することにより両者は着脱自在に固定される。これによって、棘上筋部材１５は、起始部および停止部において肩甲骨部材１０と上腕骨部材１１にそれぞれ着脱自在に固定される。
【００２６】
図４は、図１の肩甲骨部材と棘上筋部材との起始部における固定状態を示した模式断面図であり、図５は、図１の上腕骨部材と棘上筋部材との停止部における固定状態を示した模式断面図である。
【００２７】
図４に示されるように、起始磁石部材２０は、円形のネジ頭とネジ軸と締付けナットとからなるネジであり、棘上筋部材１５に形成された孔に挿通して螺合されている。そのネジ頭の内側にはリング状の凹部が形成されており、この中にリング型磁石２５が内蔵されている。これによって、起始磁石部材２０は後述する強磁性体製の起始部材２１を吸着する。また、リング型磁石２５は、金属製のネジ頭の外壁に覆われているので、起始部材２１と吸着接触しても壊れない。
【００２８】
起始磁石部材２０は、ネジ頭の上面がフラットに形成されており、該面は肩甲骨部材１０に面している。これによって、起始磁石部材２０からの突出が目立たず、後述する起始部材２１との吸着固定がしやすい。肩甲骨部材１０と反対側の面は、起始磁石部材２０の締付けナットからネジ先が突出しないようにすることが安全上好ましい。なお、ネジ頭の磁石は、ネジ頭に内蔵されているものに限定されるものではない。起始磁石部材２０もネジに限定されるものではなく、磁石そのものであっても良く、接着剤等で筋状部材３に固定したものであっても良い。
【００２９】
用いる磁石の種類としては、フェライト磁石、ネオジム磁石などの永久磁石を用いることができるが、なかでもネオジム磁石を用いることが好ましい。磁石の吸着力は特に限定されるものではないが、好ましくは５００〜７７００ガウスであり、より好ましくは１０００〜７５００ガウスであり、最も好ましくは１５００〜７５００ガウスである。
【００３０】
また、起始部材２１もネジであり、肩甲骨部材１０に形成された孔に挿通して螺合されている。また、そのネジ頭の上面はフラットに形成されており、該面は棘上筋部材１５に面している。起始部材２１は強磁性体を有する鉄でできており、フラットに形成されたネジ頭の上面が起始磁石部材２０のネジ頭の上面に吸着固定される。棘上筋部材１５と反対側の面は、起始部材２１の締付けナットからネジ先が突出しないようにすることが安全上好ましい。強磁性体は、鉄に限定されるものではなく、強磁性を有するステンレス鋼を用いることもできる。なお、起始磁石部材２０のネジ頭の上面および起始部材２１のネジ頭の上面の一方に凸部を形成し、他方に凹部を形成しておけば、その凹凸の係合により両者の位置決めが確実になされるため好ましい。起始部材２１も、起始磁石部材２０と同様にネジに限定されるものではない。
【００３１】
図５に示されるように、停止磁石部材２２の棘上筋部材１５への固定は、起始磁石部材２０と基本的に同じなので説明は繰り返さない。一方、停止部材２３の上腕骨部材１１への固定は、上腕骨部材１１が厚さを有するものであるため、停止部材２３として埋込みボルトを用い、上腕骨部材１１に形成したボルト穴に埋込み固定している。このとき、停止部材２３のボルト頭も埋め込めるよう穴を形成し、ボルト頭の上面を上腕骨部材１１の表面と面一にすることが、安全かつ嵩張らず扱いやすいため好ましい。このように、起始磁石部材２０、起始部材２１、停止磁石部材２２および停止部材２３として、ネジまたはボルトを用いることにより小型化することができ、ヒトの筋の起始・停止と同じ接続状態を正確に再現することができる。
【００３２】
図６は、本発明の第１の実施の形態による筋の学習教材の概略背面図であって、棘下筋部材を固定した図であり、図７は、図６の学習教材から棘下筋部材を取り外した図であり、図８は、図６の棘下筋部材の概略図である。
【００３３】
図６〜８に示されるように、肩甲骨部材１０と上腕骨部材１１には、筋状部材３である棘下筋部材１６が固定されているが、その基本的な構成は先に説明した棘上筋部材１５の場合と同じであるので、説明は繰り返さない。
【００３４】
図９は、本発明の第１の実施の形態による筋の学習教材の概略背面図であって、小円筋部材を固定した図であり、図１０は、図９の学習教材から小円筋部材を取り外した図であり、図１１は、図９の小円筋部材の概略図である。
【００３５】
図９〜１１に示されるように、肩甲骨部材１０と上腕骨部材１１には、筋状部材３である小円筋部材１７が固定されているが、その基本的な構成は先に説明した棘上筋部材１５の場合と同じであるので、説明は繰り返さない。
【００３６】
このように、骨状部材と筋状部材とを起始部および停止部において着脱自在となるよう構成することにより、実際のヒトの筋の形状（特に起始・停止の位置や範囲）に近い状態が再現され、ヒトの筋の形状、筋の起始・停止の位置や範囲を立体的に視覚によって理解し、かつ触覚によって理解することができる。また、筋状部材と骨状部材とは磁石の吸着力によって着脱自在に構成されているため、複雑な機構を用いることなくシンプルな構成となり、扱いやすく、壊れにくい。
【００３７】
図１２は、本発明の第１の実施の形態による筋の学習教材に用いる固定パネルの模式説明図であり、図１３は、図１２の固定パネルに筋状部材を固定した状態を示した図である。
【００３８】
図１２に示されるように、固定パネル３０は、磁石を吸引するスチールホワイトボードである。固定パネル３０の表面には、棘上筋、棘下筋および小円筋の概略図が図示されている（符号３１，３２，３３）。さらに詳細な人体図を図示することが、筋の配置を視覚的に理解しやすい点で好ましく、筋名や神経支配、筋の作用を固定パネル３０上に記載することが、筋の理解を深めることができる点でより好ましい。固定パネル３０は、保存性や見映えの観点から、透明板を有する蓋で覆うことにより収納機能および陳列機能を付与することができる。
【００３９】
前述の棘上筋部材１５、棘下筋部材１６および小円筋部材１７は、図１３に示されるように、固定パネル３０に図示された各筋の図に対応する位置に合うように磁石の吸着力によって固定される。なお、筋状部材３の起始磁石部材２０および停止磁石部材２２を磁性体によって構成した場合、磁石を固定パネル３０の表面に取り付けておけば、筋状部材３を固定パネル３０に固定することができる。
【００４０】
このように、筋状部材を固定パネルに着脱自在となるよう構成することにより、固定パネルに筋名や神経支配、筋の作用などを記載して、多種多様な筋のそれぞれについて、筋名、神経支配、筋の作用などと、筋の形状、起始・停止の位置や範囲とを関連付けて理解することができる。また、全身の筋のそれぞれについて筋状部材を用いた場合、その総数は約６５０個となるため、筋状部材を取り外すと、どの筋状部材かがわからなくなり、整理が大変になるが、それぞれの筋状部材に対応した固定パネルを設けて、固定パネルに筋状部材を着脱自在とすることにより、筋状部材の整理が容易になり、固定パネル上での学習をすることも可能となる。
【００４１】
さらに、第１の実施の形態では、教材１を用いることによって、筋の形状および起始・停止の教育方法を提供することができる。教材１の使用方法は特に限定されるものではなく、教育現場等において自由に用いることができる。この教育方法は、実際に解剖を行う専門医師や学者以外にも、筋の形状、起始・停止を立体的に視覚によって理解し、かつ触覚によって理解する機会を提供し、医療保健福祉従事者全体の理解レベルを引き上げ、医療保健福祉技術の向上に寄与することができる。
【００４２】
図１４は、本発明の第２の実施の形態による筋の学習教材の概略説明図であって、右手第３指の骨状部材の背側面図であり、図１５は、図１４に対応する図であって、右手第３指の骨状部材の掌側面図であり、図１６は、図１４に対応する図であって、右手第３指の骨状部材の側面図であり、図１７は、図１４に対応する図であって、右手第３指の総指伸筋腱部材を固定した状態を示した背側面図であり、図１８は、図１５に対応する図であって、右手第３指の浅指屈筋腱部材および深指屈筋腱部材を固定した状態を示した掌側面図であり、図１９は、図１６に対応する図であって、右手第３指の総指伸筋腱部材、浅指屈筋腱部材および深指屈筋腱部材を固定した状態を示した側面図であり、図２０は、図１４の起始磁石部材の模式断面図である。
【００４３】
図１４〜図１９に示されるように、第２の実施の形態による教材１および教材１を用いた教育方法は、先に説明した第１の実施の形態によるものと基本的に同じであるため、相違点を中心に説明する。第２の実施の形態では、骨状部材２と筋状部材３の構成を、右手第３指の骨状部材４０と、総指伸筋腱部材４５、浅指屈筋腱部材４６および深指屈筋腱部材４７に適用した点が、第１の実施の形態によるものと異なる。
【００４４】
また、たとえば、図１４に示されるように、骨状部材４０に起始磁石部材５０、停止磁石部材５２が固定され、図１７に示されるように、筋状部材である総指伸筋腱部材４５に起始部材（図示せず）、停止部材５３が固定されている点も、第１の実施の形態によるものと異なる。
【００４５】
図２０に示されるように、起始磁石部材５０は、ネジ３５とネジ３７とを螺合したものであり、骨状部材４０に形成された孔の両開口からそれぞれのネジ先を挿通し、両者を螺合することによって骨状部材４０に固定されている。ネジ３５とネジ３７のネジ頭には、それぞれ凹部が形成されており、その中に磁石３６，３８が嵌め込まれて固定されている。骨状部材４０の厚さがある箇所では、骨状部材４０にネジ穴を形成しておき、そのネジ穴にネジ３５を螺合することにより骨状部材４０に起始磁石部材５０を固定する。停止磁石部材５２の構成、固定方法についても起始磁石部材５０の場合と基本的に同じであるため、説明は繰り返さない。
【００４６】
一方、図１７に示されるように、起始部材（図示せず）および停止部材５３は、強磁性体である鉄製の薄膜であり、筋状部材である総指伸筋腱部材４５に巻き付けて固定されている。このように構成することにより、ミリ単位まで小型化することができ、指の腱のような細い部位に対しても、磁石と強磁性体との吸着固定によって、骨状部材と筋状部材とを起始部および停止部において固定することができる。浅指屈筋腱部材４６および深指屈筋腱部材４７についても、総指伸筋腱部材４５と基本的に同じ構成を有するため、説明は繰り返さない。
【００４７】
図２２は、第３の実施の形態による筋の学習教材の概略説明図であって、図２１は、第３の実施の形態の筋の学習教材を取り付ける前の骨状部材を示す図である。図２２に示されるように、第３の実施の形態による教材１および教材１を用いた教育方法は、先に説明した第１の実施の形態によるものと基本的に同じであるため、相違点を中心に説明する。第３の実施の形態では、骨状部材２と筋状部材３の構成を、肩甲骨部材６０と、橈骨部材７０に適用した点が、第１および第２の実施の形態によるものと異なる。筋状部材３は、第３の実施の形態においては、上腕二頭筋を模した筋状部材３である点においても、第１および第２の実施の形態によるものと異なる。
【００４８】
図２１に示すように、肩甲骨部材６０は、実際の人体の肩甲骨と同様に、上腕二頭筋の長頭の起始となる関節上結節６１と、上腕二頭筋の短頭の起始となる鳥口突起６２とを有している。上腕二頭筋は、図２１に示す橈骨部材７０の橈骨粗面７１において停止する。なお、図２１において上腕骨に相当する上腕骨部材は、参照符号８０で示している。図２１および図２２に示すように、上腕二頭筋の起始は、骨と骨との間の狭い領域に位置する関節上結節６１と、人体の下方向を向いた鳥口突起６２の下部側である。したがって、従来のような突起状の固定具を、凹部に差し込んで取り付ける場合は、関節上結節６１においては、固定具を差し込む指が、骨と骨との間に入らないため、固定具を取り付けることができない。また、鳥口突起６２の下部側に固定具を差し込まれる孔を設けた場合、固定具を差し込んでも筋状部材が重力で下方に落ちてしまうので、固定具が孔から抜けてしまう。
【００４９】
図２２に示されるように、上腕二頭筋に対応する筋状部材３は、長頭に対応する長頭部３ａおよび短頭に対応する短頭部３ｂを有している。長頭部３ａおよび短頭部３ｂの先端部には、それぞれ起始磁石部材９０、９１が設けられ、関節上結節６１および鳥口突起６２の下部側にもそれぞれ起始磁石部材９２、９３が設けられている。筋状部材３の他端には、停止磁石部材９４が設けられ、橈骨粗面７１には、停止磁石部材（図示せず）が設けられている。起始磁石部材９０、９１、９２、９３、停止磁石部材９４の構成については、第１および第２の実施の形態と基本的に同じであるため、説明は繰り返さない。
【００５０】
図２２に示すように、たとえば上腕二頭筋の短頭の起始部のように人体の下方向を向いた起始部であっても、磁石の吸着力によって筋状部材３と骨状部材２とを容易に取り付けることができる。また、たとえば骨と骨との間にある上腕二頭筋の長頭の起始部のような場合も、筋状部材３の端部を骨と骨との間をスライドさせて磁石の吸着力によって筋状部材３を正しい起始部において骨状部材２に取り付けることができる。このように、実際の人体の筋における起始・停止の位置で筋状部材３を固定することが難しい場合であっても、筋状部材３と骨状部材２とを磁石の吸着力により着脱自在にすることにより、正確な起始・停止の位置で筋状部材３を固定することができる。
【００５１】
なお、上記第１の実施の形態では、筋状部材に磁石を用い、骨状部材に強磁性体を用いたが、これに限定されるものではなく、逆に、第２の実施の形態のように筋状部材に強磁性体を用い、骨状部材に磁石を用いても良く、あるいは、両方に磁石を用い、互いに吸着するように配置しても良い。また、筋の付着する範囲が広く、重量のある筋に対しては、磁石を大きくしたり、磁力の強いものを用いるなど、磁石の大きさや、磁力の変更は適宜変更することが可能である。また、複数の筋状部材を用いる場合で、起始・停止部位が密集している箇所においては、磁石や、磁性体の大きさを小さくすることも可能である。
【００５２】
また、上記実施の形態では、骨状部材として上腕骨部材、肩甲骨部材、右手第３指および橈骨部材の骨状部材を用いたが、これらに限定されるものではなく、ほとんどすべての骨に適用することができる。また、本発明における、少なくとも１つの骨状部材とは、関節を構成する１つの骨状部材（２以上の骨を連結した形状を有する骨状部材）を含むものとするが、実際のヒトの筋が２つの骨に固定されていることから、骨状部材は２つ以上であることが好ましい。
【００５３】
さらに、上記実施の形態では、筋状部材として棘上筋部材、棘下筋部材および小円筋部材や、総指伸筋腱部材、浅指屈筋腱部材、深指屈筋腱部材および上腕二頭筋部材を用いたが、これらに限定されるものではなく、ほとんどすべての骨格筋に適用することができる。また、筋状部材は、筋の種類によっては腱を含むものとする。
【００５４】
また、上記実施の形態では、人体における別の部位をそれぞれ説明したが、第１〜第３の実施の形態を組み合わせることも可能である。すなわち、人体の全身の骨状部材を有する人体模型に、第１〜第３の実施の形態や、第１〜第３の実施の形態以外の骨状部材、筋状部材を用いて、人体模型全体を学習教材とすることができる。また、上肢の部分のみや、下肢の部分のみ、体幹の部分のみなど、人体の一部分のみを学習教材とすることもできる。
【符号の説明】
【００５５】
１  教材
２  骨状部材
３  筋状部材
３ａ  長頭部
３ｂ  短頭部
１０，６０  肩甲骨部材
１１，８０  上腕骨部材
１５  棘上筋部材
１６  棘下筋部材
１７  小円筋部材
２０，５０，９０，９１，９２，９３  起始磁石部材
２１  起始部材
２２，５２，９４  停止磁石部材
２３，５３  停止部材
２５  リング型磁石
３０  固定パネル
３５  ネジ
３６  磁石
３７  ネジ
３８  磁石
４０  右手第３指の骨状部材
４５  総指伸筋腱部材
４６  浅指屈筋腱部材
４７  深指屈筋腱部材
６１  関節上結節
６２  鳥口突起
７０  橈骨部材
７１  橈骨粗面
【図１】
2012056925.tif 000003
【図２】
2012056925.tif 000004
【図３】
2012056925.tif 000005
【図４】
2012056925.tif 000006
【図５】
2012056925.tif 000007
【図６】
2012056925.tif 000008
【図７】
2012056925.tif 000009
【図８】
2012056925.tif 000010
【図９】
2012056925.tif 000011
【図１０】
2012056925.tif 000012
【図１１】
2012056925.tif 000013
【図１２】
2012056925.tif 000014
【図１３】
2012056925.tif 000015
【図１４】
2012056925.tif 000016
【図１５】
2012056925.tif 000017
【図１６】
2012056925.tif 000018
【図１７】
2012056925.tif 000019
【図１８】
2012056925.tif 000020
【図１９】
2012056925.tif 000021
【図２０】
2012056925.tif 000022
【図２１】
2012056925.tif 000023
【図２２】
2012056925.tif 000024
【国際調査報告】
2012056925.tif 000025
2012056925.tif 000026
2012056925.tif 000027
2012056925.tif 000028
2012056925.tif 000029
2012056925.tif 000030